(57)【要約】【課題】団らん調理における使い勝手を向上させると共に、利用者が快適に調理できる加熱調理器を提供する。【解決手段】加熱調理器Ａは、被加熱物を電磁誘導によって加熱する加熱コイル１１と、加熱コイル１１を収容する筐体２と、筐体２の第１部位２ａに設けられた第１操作部３ａと、筐体２における第１部位２ａと対向する第２部位２ｂに設けられた第２操作部３ｂと、筐体２に設けられ且つ内部の熱を外部に排出する排熱口４３とを備え、排熱口４３は第１部位２ａと第２部位２ｂとの間に設けられている。【選択図】図２
2019067621.tif 000002
【特許請求の範囲】
【請求項１】
被加熱物を電磁誘導によって加熱する加熱コイルと、
前記加熱コイルを収容する筐体と、
前記筐体の第１部位に設けられた第１操作部と、
前記筐体における前記第１部位と対向する第２部位に設けられた第２操作部と、
前記筐体に設けられ且つ内部の熱を外部に排出する排熱口と
を備え、
前記排熱口は前記第１部位と前記第２部位との間に設けられている
加熱調理器。
【請求項２】
前記筐体に設けられ且つ内部に外気を吸気するための吸気口と、
前記筐体内に配され且つ前記吸気口から吸気するためのファンと
を備え、
前記吸気口は前記加熱コイルの中央を挟んで前記排熱口と反対側に設けられている
請求項１に記載の加熱調理機。
【請求項３】
前記ファンにより前記吸気口から吸気した外気が前記排熱口に向かう流路を前記筐体内に形成し、
前記流路途中に前記加熱コイルが設けられている
請求項２に記載の加熱調理器。
【請求項４】
前記流路は、前記吸気口の開口縁に沿って設けられた第１流路壁と、前記加熱コイルの周縁に沿って設けられた第２流路壁とを有する
請求項３に記載の加熱調理器。
【請求項５】
前記筐体は前記第１流路壁と第２流路壁とを一体で有する
請求項４に記載の加熱調理器。
【請求項６】
前記第１操作部及び第２操作部の操作に基づいて前記加熱コイルを制御する制御回路部を前記筐体内に備え、
前記制御回路部の少なくとも一部が前記流路上に面している
請求項３〜５の何れか１項に記載の加熱調理器。
【請求項７】
前記第１操作部と前記制御回路部とを電気的に接続する第１ケーブルと、前記第２操作部と前記制御回路部とを電気的に接続する第２ケーブルとが、前記流路から離れた状態で、前記筐体内に配されている
請求項６に記載の加熱調理器。
【発明の詳細な説明】
【技術分野】
【０００１】
本発明は、被加熱物を電磁誘導によって加熱する加熱コイルを備えた加熱調理器に関する。
【背景技術】
【０００２】
加熱調理器として、団らん調理における使い勝手を向上させたものが提案されている（特許文献１）。
特許文献１に記載の誘導加熱調理器は、本体と、前記本体内部には加熱コイルと、前記加熱コイルの上方に配設された電気絶縁性のトッププレートと、前記加熱コイルに高周波電流を供給する制御回路と、前記本体の前方に誘導加熱調理の操作を行うことのできる第１の操作パネルと、前記加熱コイルの中心より後方に第２の操作パネルを備えている。
【先行技術文献】
【特許文献】
【０００３】
【特許文献１】特開２００４−６０７６号公報
【発明の概要】
【発明が解決しようとする課題】
【０００４】
特許文献１の誘導加熱調理器では、調理時の加熱コイルの熱を外部に排出するための具体的な記載がなく、場合によっては、排出した熱が利用者に当たるおそれがある。なお、熱風が利用者に当たると、調理が妨げられるだけでなく、利用者を不快にさせる。
本発明は、このような事情に鑑みてなされたものであって、団らん調理における使い勝手を向上させると共に、利用者が快適に調理できる加熱調理器を提供することを目的とする。
【課題を解決するための手段】
【０００５】
上記課題を解決するために、本発明の一態様に係る加熱調理器は、被加熱物を電磁誘導によって加熱する加熱コイルと、前記加熱コイルを収容する筐体と、前記筐体の第１部位に設けられた第１操作部と、前記筐体における前記第１部位と対向する第２部位に設けられた第２操作部と、前記筐体に設けられ且つ内部の熱を外部に排出する排熱口とを備え、前記排熱口は前記第１部位と前記第２部位との間に設けられている。
【発明の効果】
【０００６】
本発明によれば、団らん調理における使い勝手を向上させることができると共に利用者が快適に調理できる。
【図面の簡単な説明】
【０００７】
【図１】第１の実施形態に係る電磁調理器を示す斜視図であり、（ａ）は上方から見た図であり、（ｂ）は下方から見た図である。
【図２】電磁調理器の分解状態を上方から見た斜視図である。
【図３】加熱部を示す斜視図であり、（ａ）は上方から見た図であり、（ｂ）は下方から見た図である。
【図４】カバーを反転させた斜視図である。
【図５】本体の平面図である。
【図６】（ａ）は第１操作部を上方から見た斜視図であり、（ｂ）は第２操作部を上方から見た斜視図である。
【図７】トッププレート及びカバーを取り外した状態を上方から見た斜視図である。
【図８】（ａ）はフードカバーを下方から見た斜視図であり、（ｂ）はフードカバーを上方から見た斜視図である。
【図９】トッププレート、カバー及びフードカバーを取り外した状態の平面図である。
【図１０】加熱コイル、送風機、制御回路部の位置関係を示す断面図である。
【発明を実施するための形態】
【０００８】
＜概要＞
一態様に係る加熱調理器は、被加熱物を電磁誘導によって加熱する加熱コイルと、前記加熱コイルを収容する筐体と、前記筐体の第１部位に設けられた第１操作部と、前記筐体における前記第１部位と対向する第２部位に設けられた第２操作部と、前記筐体に設けられ且つ内部の熱を外部に排出する排熱口とを備え、前記排熱口は前記第１部位と前記第２部位との間に設けられている。
別態様に係る加熱調理器は、前記筐体に設けられ且つ内部に外気を吸気するための吸気口と、前記筐体内に配され且つ前記吸気口から吸気するためのファンとを備え、前記吸気口は前記加熱コイルの中央を挟んで前記排熱口と反対側に設けられている。これにより、吸気口から吸気した外気が排熱口に向かって流れ、筐体内の熱を効率的に排出できる。ここでいう「前記吸気口は前記加熱コイルの中央を挟んで前記排熱口と反対側に設けられている」とは、吸気口が形成されている側と、排熱口が形成されている側とが、加熱コイルの中央を挟んで対向する（両側に位置する）ような関係にあることをいい、例えば、平面視において、吸気口の一部が加熱コイルと重なる場合、排熱口の一部が加熱コイルと重なる場合等を含む。
別態様に係る加熱調理器は、前記ファンにより前記吸気口から吸気した外気が前記排熱口に向かう流路を前記筐体内に形成し、前記流路途中に前記加熱コイルが設けられている。これにより、加熱コイルの熱を効率的に排出できる。
【０００９】
別態様に係る加熱調理器において、前記流路は、前記吸気口の開口縁に沿って設けられた第１流路壁と、前記加熱コイルの周縁に沿って設けられた第２流路壁とを有する。これにより、吸気した外気を効率的に熱排出に利用できる。
別態様に係る加熱調理器において、前記筐体は前記第１流路壁と第２流路壁とを一体で有する。これにより、部品点数の削減やコストダウンを図ることができる。
別態様に係る加熱調理器は、前記第１操作部及び第２操作部の操作に基づいて前記加熱コイルを制御する制御回路部を前記筐体内に備え、前記制御回路部の少なくとも一部が前記流路上に面している。これにより、加熱コイルの熱に加え、制御回路部の熱も効率的に排出できる。
別態様に係る加熱調理器において、前記第１操作部と前記制御回路部とを電気的に接続する第１ケーブルと、前記第２操作部と前記制御回路部とを電気的に接続する第２ケーブルとが、前記流路から離れた状態で、前記筐体内に配されている。これにより、第１ケーブルと第２ケーブルとが加熱コイルと離れることとなり、加熱コイルからのノイズを受け難くできる。
【００１０】
＜実施形態＞
１．概要
加熱調理器の一例として、被加熱物を電磁誘導によって加熱する、所謂、電磁調理器Ａについて、図１及び図２を用いて説明する。
電磁調理器Ａは薄型矩形箱状の卓上タイプである。
電磁調理器Ａは、加熱コイル１１を備える加熱部１と、加熱部１を収容する筐体部２と、加熱部１を操作するための操作部３とを備える。ここでの操作部３は、筐体部２の第１部位２ａに設けられた第１操作部３ａと、筐体部２の第２部位２ｂに設けられた第２操作部３ｂとからなる。なお、上方から電磁調理器Ａを見ると、第１部位２ａは第２部位２ｂと対向する。また、筐体部２は本発明に係る筐体の一例に相当する。
ここで、平面視において、第１部位２ａと第２部位２ｂとを結ぶ方向を縦方向とし、縦方向と直交する方向を横方向とする。また、縦方向と横方向とに直交する方向を上下方向又は表裏方向とする。
筐体部２は、図２に示すように、上方が開口する本体２０と、本体２０の開口を覆い且つ中央部に開口２５９を有するカバー２５と、カバー２５の開口２５９を覆うトッププレート２８とから構成される。
【００１１】
電磁調理器Ａは、図２に示すように、調理中の加熱部１の温度上昇を規制するための送風機４を筐体部２に収容する。送風機４は、筐体部２の吸気口４２から吸気して、加熱部１と熱交換した後、当該空気を筐体部２の排熱口４３から排出する。
筐体部２において、排熱口４３が設けられている第３部位２ｃは、第１操作部３ａがある第１部位２ａと、第２操作部３ｂがある第２部位２ｂとの間に位置する。換言すると、第３部位２ｃは第１部位２ａ及び第２部位２ｂでない部位であればよい。
電磁調理器Ａは、送風機４により吸気された外気が加熱部１と効率よく熱交換するための流路５を備えている。なお、流路５は、筐体部２内に形成される空間であり、筐体部２の本体２０と区別するために矢印で示している。
【００１２】
電磁調理器Ａは、図２に示すように、操作部３の操作に従って加熱部１に電力を供給する制御回路部６を筐体部２に収容する。電磁調理器Ａは、図外の電源コードを取り外し自在に接続するためのコード接続部７を筐体部２に備える。なお、コード接続部７は制御回路部６に電気的に接続されている。
以下、各部について説明する。
【００１３】
２．各部
（１）加熱部
図３を用いて加熱部の一例について説明する。
加熱部１は加熱コイル１１を有する。加熱コイル１１は導線固定部１２に導線（図示省略）を巻き付けて構成される。導線固定部１２は全体として円盤状をしている。導線固定部１２は、中央の円板状の中央部１２１と、中央部１２１と同心円状に配された円環状の外周部１２３と、中央部１２１と外周部１２３との間を放射状に連結する連結部１２５とを有する。
導線固定部１２は導電線を巻き付けるための溝１２７を有する。中央部１２１では外周側に、外周部１２３では内周側に、連結部１２５では径方向の全体に、それぞれ溝１２７を有する。導線固定部１２は、貫通孔１２１ａを中央部１２１に、貫通孔１２３ａを外周部１２３にそれぞれ有する。貫通孔１２１ａ，１２３ａは導線用である。
導線固定部１２は筐体部２の本体２０に取り付けられる。ここでの取り付けにねじが利用され、ねじ用の貫通孔１２３ｂを外周部１２３から張り出す張出部１２９に有する。なお、張出部１２９は周方向に間隔をおいて３個ある。
【００１４】
（２）筐体部
筐体部２は、上述のように、本体２０、カバー２５及びトッププレート２８から構成されている。各部の構成について以下説明する。
（２−１）トッププレート
図２を用いてトッププレート２８の一例を説明する。
トッププレート２８は電磁調理器Ａの平面形状に対応した形状又は対応した形状に近い形状の平板状をしている。電磁調理器Ａの平面形状は矩形状をし、トッププレート２８は方形板状をしている。ここでのトッププレート２８は、例えば、ＡＢＳ樹脂とポリカーボネート樹脂とから構成されている。なお、トッププレート２８の上面には調理具載置用の目安２８１が設けられている。
【００１５】
（２−２）カバー
図２及び図４を用いてカバー２５の一例を説明する。
カバー２５は電磁調理器Ａの平面形状に対応した枠状をしている。ここでは、カバー２５は矩形枠板状をしている。枠状の内部が開口２５９である。
カバー２５はトッププレート２８を搭載するプレート搭載部２５１と、第１操作部３ａを覆う第１操作カバー部２５３ａと、第２操作部３ｂを覆う第２操作カバー部２５３ｂとを有している。カバー２５は、図４に示すように、本体２０に取り付けるためのカバー側取付部２５５，２５６や、本体２０に対して位置決めするためにカバー側位置決部２５７を１個又は複数個有している。
カバー２５は、矩形枠状の平板部２７１と、平板部２７１の内周縁から裏側に張り出す内側鍔部２７３と、平板部２７１の外周縁から裏側に張り出す外側鍔部２７５とを有し、上記プレート搭載部２５１、第１操作カバー部２５３ａ及び第２操作カバー部２５３ｂは平板部２７１等を利用している。
【００１６】
（２−２−１）プレート搭載部
図２を用いてプレート搭載部２５１の一例を説明する。
プレート搭載部２５１は開口２５９の周辺に設けられている。なお、開口２５９はトッププレート２８よりも少し小さい。プレート搭載部２５１は、平面視において、カバー２５における第１操作カバー部２５３ａと第２操作カバー部２５３ｂとの間に矩形枠状に設けられている。
プレート搭載部２５１は、トッププレート２８の周縁を含む周縁部に当接する外当接部分２５１ａを有している。プレート搭載部２５１は、トッププレート２８の外周部の内側に位置する内周側部分に当接する内当接部分２５１ｂを有している。
外当接部分２５１ａと内当接部分２５１ｂは平面視において矩形枠状をしている。平面視において、外当接部分２５１ａにおける横方向の端縁はトッププレート２８の横方向の端縁と一致している。プレート搭載部２５１は、外当接部分２５１ａと内当接部分２５１ｂとの間に裏側に凹入する矩形環状の溝部分２５１ｃを有している。
【００１７】
（２−２−２）第１操作カバー部
図４を用いて第１操作カバー部２５３ａの一例を説明する。
第１操作カバー部２５３ａは、第１操作部３ａの第１実装部品３３ａ（図６参照）用の貫通孔２６１ａ，２６３ａを有している。ここでの貫通孔２６１ａはスイッチ部品３３１ａ用であり、貫通孔２６３ａは表示画面３３３ａ用である。
第１操作カバー部２５３ａは第１操作部３ａを装着するための第１装着部を１個又は複数個有している。装着にはねじを利用し、当該ねじが螺合するねじ穴２６５ａにより第１装着部が構成される。
第１操作基板３１ａを平板部２７１の裏面から離間させるために、第１装着部（ねじ穴２６５ａ）はボス部２６７ａに設けられ、第１操作基板３１ａを支持する延伸棒２６９ａが平板部２７１に１個又は複数個設けられている。
【００１８】
（２−２−３）第２操作カバー部
図４を用いて第２操作カバー部２５３ｂの一例を説明する。
第２操作カバー部２５３ｂは、第２操作部３ｂの第２実装部品３３ｂ（図６参照）用の貫通孔２６１ｂ，２６３ｂ（２６３ｂは図２参照）を有している。ここでの貫通孔２６１ｂはスイッチ部品３３１ｂ用であり、貫通孔２６３ｂは表示部品３３３ｂ用である。なお、貫通孔２６３ｂは、表示部品３３３ｂが挿入される筒部２６２ｂの内部と連通する。
第２操作カバー部２５３ｂは第２操作部３ｂを装着するための第２装着部を１個又は複数個有している。装着にはねじを利用し、当該ねじが螺合するねじ穴２６５ｂにより第２装着部が構成される。
第２操作基板３１ｂを平板部２７１の裏面から離間させるために、第２装着部（ねじ穴２６５ｂ）はボス部２６７ｂに設けられ、第２操作基板３１ｂを支持する延伸棒２６９ｂが平板部２７１に１個又は複数個設けられている。
【００１９】
（２−２−４）カバー側取付部
図４を用いてカバー側取付部２５５，２５６の一例を説明する。
カバー側取付部２５５は、第１操作カバー部２５３ａ及び第２操作カバー部２５３ｂの裏面に設けられている。カバー２５の取り付けにねじを利用し、カバー側取付部２５５は、裏側に延伸するボス部２５５ａと、ボス部２５５ａに設けられたねじ穴２５５ｂとを有している。なお、ボス部２５５ａの延伸先端部は、本体２０の本体側カバー取付部２１０の筒部分２１０ｄに嵌合（内嵌）する。
カバー側取付部２５６は、第２操作カバー部２５３ｂ以外の外側鍔部２７５に設けられている。カバー２５の取り付けには係合部を利用し、カバー側取付部２５６は外側鍔部２７５から内側に突出する凸部により構成されている。なお、図４では右側の外側鍔部２７５以外の凸部は外側鍔部２７５の陰で見えない。
【００２０】
（２−２−５）カバー側位置決部
図４を用いてカバー側位置決部２５７の一例を説明する。
カバー側位置決部２５７は、プレート搭載部２５１、第１操作カバー部２５３ａ及び第２操作カバー部２５３ｂの裏面から下方に延伸する延伸板により構成される。カバー側位置決部２５７の外周面が本体２０の側壁２０２〜２０５の内面に当接する。カバー側位置決部２５７は外周縁に沿って間隔をおいて複数設けられている。
【００２１】
（２−３）本体
図５を用いて本体２０の一例を説明する。
本体２０は上部が開放する薄型箱状をしている。本体２０は平面視において縦方向に長い矩形状をしている。本体２０は、底壁２０１、第１側壁２０２、第２側壁２０３、第３側壁２０４及び第４側壁２０５を有する。
ここで、第１側壁２０２は第１操作部３ａ側に位置する側壁である。第２側壁２０３は、第２操作部３ｂ側に位置する側壁であり、第１側壁２０２と対向する。第３側壁２０４は排熱口４３側に位置する側壁である。第４側壁２０５は送風機４側に位置する側壁であり、第３側壁２０４と対向する。なお、平面視において、各側壁の連結部分は曲側壁２０６とする。
本体２０は、第１操作部３ａを収容する第１操作収容部２０７ａと、第２操作部３ｂを収容する第２操作収容部２０７ｂと、各部を収容する大収容部２０８とを有する。
【００２２】
本体２０は、カバー２５を取り付けるための本体側カバー取付部２１０，２１１と、制御回路部６を固定するための回路固定部２１２と、制御回路部６を支持する回路支持部２１３と、加熱コイル１１を固定するためのコイル固定部２１４と、送風機４とフードカバー５７とを固定するためのフード固定部２１５と、コード接続部７を取り付けるためのコード取付部２３１とを１個又は複数個有する。
本体２０は流路５を形成するための流路形成部５１を有している。なお、フードカバー５７は流路形成部５１の一部を構成する。本体２０は、流路５の入口となる吸気口４２と、流路５の出口となる排熱口４３とを有する。
【００２３】
（２−３−１）第１操作収容部
第１操作収容部２０７ａは、底壁２０１における縦方向の第１操作部３ａ側の第１端部分２０１ａと、第１側壁２０２と、第１側壁２０２の両側の曲側壁２０６，２０６と、第１区画壁２２１ａとで囲まれた空間である。第１操作部３ａを装着するカバー２５が本体２０に取り付けられると、第１操作部３ａが第１操作収容部２０７ａに収容される。
第１区画壁２２１ａは、第１側壁２０２と平行な状態で底壁２０１から立設し、図１０に示すように、カバー２５の第１操作カバー部２５３ａの近傍まで延伸している。これにより、加熱部１で加熱された空気が第１操作収容部２０７ａ側に進入するのを規制している。
【００２４】
（２−３−２）第２操作収容部
第２操作収容部２０７ｂは、底壁２０１における長手方向の第２操作部３ｂ側の第２端部分２０１ｂと、第２側壁２０３と、第２側壁２０３の両側の曲側壁２０６，２０６と、第２区画壁２２１ｂとで囲まれた空間である。第２操作部３ｂを装着するカバー２５が本体２０に取り付けられると、第２操作部３ｂが第２操作収容部２０７ｂに収容される。
第２区画壁２２１ｂは、第２側壁２０３と平行な状態で底壁２０１から立設し、図１０に示すように、カバー２５の第２操作カバー部２５３ｂの近傍まで延伸している。これにより、加熱部１で加熱された空気が第２操作収容部２０７ｂ側に進入するのを規制している。
【００２５】
（２−３−３）大収容部
一例である大収容部２０８は、図２に示すように、制御回路部６、加熱部１、送風機４１等を収容する。
大収容部２０８は、底壁２０１の第１端部分２０１ａ及び第２端部分２０１ｂを除いた中間部分２０１ｃと、第１区画壁２２１ａと、第２区画壁２２１ｂと、第３側壁２０４と、第４側壁２０５とで囲まれた空間である。なお、制御回路部６、加熱コイル１１及び送風機４１の位置関係は後述する。
【００２６】
（２−３−４）本体側カバー取付部
カバー２５の本体２０への取り付けにはねじが利用されている。本体側カバー取付部２１０は、底壁２０１から表側に突出する有蓋筒状部分２１０ａと、有蓋筒状部分２１０ａの蓋部分２１０ｂに設けられた貫通孔２１０ｃとを有する。蓋部分２１０ｂは有蓋筒状部分２１０ａの突出方向の途中にあり、蓋部分２１０ｂの表側が筒部分２１０ｄとなっている。
カバー側取付部２５５のボス部２５５ａが本体側カバー取付部２１０の筒部分２１０ｄに嵌合した状態で、有蓋筒状部分２１０ａの内部に配されたねじが貫通孔２１０ｃを挿通して、図４に示すように、カバー側取付部２５５のねじ穴２５５ｂに螺合する。
なお、本体側カバー取付部２１０は、４つの曲側壁２０６の内側と、第２操作収容部２０７ｂの横方向の略中央との合計５か所に設けられている。
【００２７】
カバー２５の本体２０への取り付けには係合部が利用されている。本体側カバー取付部２１１は、図７に示すように、第１側壁２０２、第３側壁２０４及び第４側壁２０５の合計６か所の上端から上方に延伸する延伸片２１１ａと、延伸片２１１ａに設けられた貫通孔２１１ｂとを有する。貫通孔２１１ｂには、図４に示すカバー側取付部（凸部）２５６が係合する。
【００２８】
（２−３−５）回路固定部及び回路支持部
制御回路部６の本体２０への固定にはねじを利用している。回路固定部２１２は、底壁２０１の中間部分２０１ｃから突出するボス部２１２ａと、ボス部２１２ａに設けられたねじ穴２１２ｂとを有する。
回路支持部２１３は、底壁２０１と第３側壁２０４とに跨って、底壁２０１と第２区画壁２２１ｂとに跨って、それぞれ設けられている。
回路支持部２１３は、回路基板６１の裏面に当接する裏当接部分２１３ａと、裏当接部分２１３ａの表側で回路基板６１の表面に当接する表当接部分２１３ｂとをセットで有する。なお、裏当接部分２１３ａと表当接部分２１３ｂとの間隔は回路基板６１の厚みに相当する。
ここでの裏当接部分２１３ａは、底壁２０１から表側に離間して延伸する一対の延伸板により構成されている。ここでの表当接部分２１３ｂは、第３側壁２０４及び第２区画壁２２１ｂにおける底壁２０１に近い部位から底壁２０１と平行に延伸する延伸板により構成されている。
【００２９】
（２−３−６）コイル固定部
加熱部１の本体２０への固定にはねじを利用している。コイル固定部２１４は、底壁２０１の中間部分２０１ｃから表側に延伸するボス部２１４ａと、ボス部２１４ａに設けられたねじ穴２１４ｂとを有している。
コイル固定部２１４のねじ穴２１４ｂには、導線固定部１２の張出部１２９の貫通孔１２３ｂを挿通するねじが螺合する。なお、加熱コイル１１の張出部１２９はボス部２１４ａの上端面により支持される。
【００３０】
（２−３−７）フード固定部
フードカバー５７の本体２０への固定は送風機４と共に行われる。つまり、底壁２０１のフード固定部２１５で送風機４が支持される状態で、図７に示すように、送風機４を覆うフードカバー５７がフード固定部２１５に固定される。
フード固定部２１５は、底壁２０１から立設する一対の段付柱状部分２１５ａと、一対の段付柱状部分２１５ａの間から立設する柱状部分２１５ｂとを有し、柱状部分２１５ｂにねじ穴２１５ｃが設けられている。
【００３１】
（２−３−８）流路形成部
流路形成部５１は、吸気口４２から吸気された外気を制御回路部６や加熱コイル１１を経由して排熱口４３から排出するように、空気の流路５を形成するためのものである。流路形成部５１は、底壁２０１の中間部分２０１ｃから立設する第１流路壁５２、第２流路壁５３、案内壁５４等により構成されている。
これら第１流路壁５２、第２流路壁５３、案内壁５４等については後述の「（６）流路」の項目で説明する。
【００３２】
（２−３−９）吸気口及び排熱口
吸気口４２は、底壁２０１の中間部分２０１ｃであって第１区画壁２２１ａに近い部位に設けられている。吸気口４２は第４側壁２０５に近い部位に設けられている。吸気口４２は、ここでは、同心円上に並ぶ複数個の小孔４２ａから構成される。
吸気口４２が形成されている底壁２０１は、吸気口４２から吸気量を増やすために上げ底となっている。つまり、図１の（ｂ）に示すように、設置面との間隔を広げるための上げ底部分２０１ｄに吸気口４２が設けられている。  上げ底部分２０１ｄは第１側壁２０２、第３側壁２０４及び第４側壁２０５に跨るように設けられ、広い範囲から空気が吸入されるように構成されている。吸気口４２は、図１に示すように、底壁２０１が有底筒状に裏側に突出し、その筒部と底部とに小孔４２ａが形成されてなる。
【００３３】
排熱口４３は第３側壁２０４に設けられている。排熱口４３は、図５に示すように、第３側壁２０４の長手方向に沿って設けられた複数個の小孔４３ａから構成される。小孔４３ａは上下方向に長い矩形状をしている。
【００３４】
（２−３−１０）コード取付部
図５を用いてコード取付部２３１について説明する。
コード取付部２３１は第３側壁２０４に設けられている。コード取付部２３１は、第３側壁２０４に設けられた取付口２３３（図２参照）と、第３側壁２０４の内面に設けられた取付溝２３５と、第３側壁２０４における底壁２０１側でコード接続部７を支持する支持部分２３７とを有する。
【００３５】
（３）操作部
図６を用いて操作部３の一例を説明する。
（３−１）第１操作部
図６の（ａ）を用いて説明する。
第１操作部３ａは、第１操作基板３１ａと、第１操作基板３１ａに実装された第１実装部品３３ａとを備える。
第１実装部品３３ａとしては、電源スイッチや温度調整スイッチ等の複数個のスイッチ部品３３１ａ、温度状態を表示する表示画面３３３ａ等がある。なお、図では、複数個あるスイッチ部品の一部に符号を付している。
第１操作部３ａは、筐体部２のカバー２５の第１操作カバー部２５３ａに装着するための装着部を有する。装着にはねじが利用され、ねじ用の貫通孔３５ａが装着部として第１操作基板３１ａに複数個設けられている。
【００３６】
（３−２）第２操作部
図６の（ｂ）を用いて説明する。
第２操作部３ｂは、第２操作基板３１ｂと、第２操作基板３１ｂに実装された第２実装部品３３ｂとを備える。
第２実装部品３３ｂとしては、温度調整スイッチ等の複数個のスイッチ部品３３１ｂ、温度状態を表示する表示部品３３３ｂ等がある。なお、図では、複数個ある表示部品の一部に符号を付している。
第２操作部３ｂは、筐体部２のカバー２５の第２操作カバー部２５３ｂに装着するための装着部を有する。装着にはねじが利用され、ねじ用の貫通孔３５ｂが装着部として第２操作基板３１ｂに複数個設けられている。
なお、第２操作部３ｂは、カバー２５を本体２０に取り付けるためのカバー側取付部２５５用の貫通孔３７ｂを有する。
【００３７】
（４）送風機
図２を用いて送風機４の一例を説明する。
送風機４は、駆動部（図示省略）と、駆動部の回転軸に取付けられたファン４１３と、駆動部を搭載するアーム４１５とを有する。
送風機４は、図２に示すように筐体部２の吸気口４２に対向する状態で、図５に示すように筐体部２のフード固定部２１５に固定される。
送風機４は、回転軸が延伸する方向の略下半分が吸気口４２を構成するための有底筒状に凹入している部分に嵌る状態で、固定されている。
送風機４はアーム４１５に一対の貫通孔４１５ａを有している。貫通孔４１５ａは、筐体部２の底壁２０１のフード固定部２１５の一対の段付柱状部分２１５ａの段差部分と嵌合する。これにより、送風機４が筐体部２のフード固定部２１５に支持される。
送風機４は、アーム４１５の一対の貫通孔４１５ａの間に孔付凹部４１５ｂを有している。孔付凹部４１５ｂの凹みには、図８に示すように、フードカバー５７の固定部５７３の段差５７３ｃが嵌合し、孔付凹部４１５ｂの貫通孔には、筐体部２のフード固定部２１５の柱状部分２１５ｂのねじ穴２１５ｃに螺合するねじが挿通する。
【００３８】
（５）制御回路部
図２を用いて制御回路部６の一例を説明する。
制御回路部６は、利用者の操作部３の操作に基づいて加熱コイル１１を制御する。制御回路部６は、第１操作部３ａや第２操作部３ｂへ電力の供給を制御等する。
制御回路部６は、回路基板６１と、回路基板６１に実装された複数個の電子部品６２，６３，６４等を備える。制御回路部６は、発熱しやすい電子部品６３，６４の温度上昇を抑制するために、電子部品６３，６４に熱接続されたヒートシンク６５を回路基板６１に備える。
なお、電子部品６２は、平面視において矩形状をしている場合は、長手方向が第２側壁２０４と直交する状態で、設けられている。また、電子部品６２は図２及び図７にのみ示している。
【００３９】
制御回路部６は、筐体部２の底壁２０１に固定するための回路側固定部６１１を回路基板６１に有している。回路側固定部６１１は、図５に示すように底壁２０１の回路固定部２１２のねじ穴２１２ｂに螺合するねじ用の貫通孔により構成されている。なお、固定状態の回路基板６１は、底壁２０１と平行な状態で、底壁２０１のボス部２１２ａの上面で支持されている。
制御回路部６を本体２０に固定する際には、回路基板６１の２辺の端部が回路支持部２１３の裏当接部分２１３ａと表当接部分２１３ｂとの間に挿入（スライド）される。このため、回路基板６１はコイル固定部２１４のボス部２１４ａよりも大きな貫通孔６１２を有している。
【００４０】
制御回路部６と第１操作部３ａとは、図９に示すように、第１ケーブル６６ａを介して電気的に接続されている。第１ケーブル６６ａは両端にコネクタ６７ａを有し且つ一方のコネクタ６７ａが回路基板６１のコネクタ６８ａに、他方のコネクタ６７ａが第１操作基板３１ａのコネクタ６８ａにそれぞれ着脱自在に接続される。
制御回路部６と第２操作部３ｂとは、図９に示すように、第２ケーブル６６ｂを介して電気的に接続されている。第２ケーブル６６ｂは両端にコネクタ６７ｂを有し且つ一方のコネクタ６７ｂが回路基板６１のコネクタ６８ｂに、他方のコネクタ６７ｂが第２操作基板３１ｂのコネクタ６８ｂにそれぞれ着脱自在に接続される。
第１ケーブル６６ａ及び第２ケーブル６６ｂは、図９に示すように、流路形成部５１と第４打側壁２０５との間を通るように配されている。
【００４１】
ヒートシンク６５は、図７に示すように、複数枚の放熱板６５１を有している。放熱板６５１は横方向に長い矩形状をしている。放熱板６５１は、表裏方向と直交する方向に延伸し、第１区画壁２２１ａと反対側で連結されている。
【００４２】
（６）流路
流路５は、筐体部２内において、吸気口４２から吸気した外気が排熱口４３に向かうように構成されている。流路５の途中に加熱コイル１１が設けられている。これにより加熱コイル１１の温度上昇を抑制できる。また、流路５の途中に制御回路部６が設けられている。これにより制御回路部６の温度上昇を抑制できる。
流路５は、底壁２０１の中間部分２０１ｃと、カバー２５及びトッププレート２８との間に形成されている。
底壁２０１の中間部分２０１ｃと、カバー２５及びトッププレート２８との間であって、流路でない領域を流路外領域５９とする。なお、筐体部２内の流路外領域５９に第１ケーブル６６ａと第２ケーブル６６ｂとが配されている。
【００４３】
筐体部２の大収容部２０８内では、吸気口４２から吸気された外気は送風機４により自然に排熱口４３へと向かう。この場合、外気が大収容部２０８の冷却対象が存在しない領域にも流れることとなり、冷却効率が悪くなる傾向にある。流路形成部５１は、吸気した外気を冷却対象である加熱コイル１１と制御回路部６とに向かうようにガイドするものである。
流路形成部５１は、図５に示すように、吸気口４２の開口縁に沿って設けられた第１流路壁５２と、加熱コイル１１の周縁に沿って設けられた第２流路壁５３とを有する。流路形成部５１は、送風機４における吸気口４２の反対側（送風機４の裏側）を覆うフードカバー５７を有する。流路形成部５１は吸気した外気を冷却対象に案内する案内壁５４を有している。
【００４４】
（６−１）第１流路壁
第１流路壁５２は、平面視において、吸気口４２の第３側壁２０４と反対側、つまり、吸気口４２の第４側壁２０５側に形成されている。換言すると、第１流路壁５２は吸気口４２と第４側壁２０５との間に形成されている。第１流路壁５２は平面視において円弧状をしている。
第１流路壁５２は底壁２０１の中間部分２０１ｃから上方に延伸するように形成されている。第１流路壁５２の上端は、図７に示すように、第１区画壁２２１ａの上端と略一致している。これにより、吸気した外気が第１流路壁５２とカバー２５との間又は第１流路壁５２とトッププレート２８との間から流路外領域５９に漏れるのを抑制できる。
第１流路壁５２の一端は、図５に示すように、第１区画壁２２１ａに連結されている。第１流路壁５２の他端は第２流路壁５３に連結されている。
【００４５】
（６−２）第２流路壁
第２流路壁５３は、平面視において、加熱コイル１１の第３側壁２０４と反対側、つまり、加熱コイル１１の第４側壁２０５側に形成されている。換言すると、第２流路壁５３は加熱コイル１１と第４側壁２０５との間に形成されている。
第２流路壁５３は、平面視において、加熱コイル１１の周縁であって、送風機４１（フードカバー５７）と対向しない部分に設けられている。
第２流路壁５３は底壁２０１の中間部分２０１ｃから上方に延伸するように形成されている。
【００４６】
第２流路壁５３の上端は、図７に示すように、第１区画壁２２１ａ及び第２区画壁２２１ｂの上端と略一致している。第２流路壁５３の上端は、図７に示すように、加熱コイル１１の上面と略一致している。これにより、吸気した外気が第２流路壁５３とトッププレート２８との間から漏れるのを抑制できる。
第２流路壁５３の一端は、図５に示すように、第１流路壁５２の他端に連結されている。第２流路壁５３の他端は制御回路部６の回路基板６１の近くまで延伸している。
第２流路壁５３は、第１流路壁５２から第２側壁２０３側に離れるにしたがって加熱コイル１１に近づき、加熱コイル１１の周縁に近づくと当該周縁に沿って第２流路壁５３の端部まで延伸する。換言すると、第２流路壁５３は、平面視において、第１流路壁５２側に直線部を有し、他端側に円弧部を有する。
【００４７】
第２流路壁５３はコイル固定部２１４に連結されている。第２流路壁５３はコイル固定部２１４に連結される部分に凹部５３１を有している。凹部５３１には、図７に示すように、加熱コイル１１の張出部１２９が嵌る。
【００４８】
（６−３）フードカバー
図８を用いてフードカバー５７の一例を説明する。
フードカバー５７は、送風機４の裏側を覆う平板部５７１と、フードカバー５７を筐体部２に固定するための固定部５７３とを有している。フードカバー５７は、吸気口４２から吸気された外気を制御回路部６のヒートシンク６５側に案内するガイド壁５７９を有する。
【００４９】
平板部５７１は、平面視において、第１流路壁５２と加熱コイル１１との間を埋めるような形状をしている。平板部５７１は、平面視において、制御回路部６のヒートシンク６５と重ならないような形状をしている。なお、平板部５７１の表面には補強用のリブ５７１ａが網目状に設けられている。
【００５０】
固定部５７３は、裏側に有底筒状に突出する有底筒状部分５７３ａを有している。固定部５７３は、有底筒状部分５７３ａの底部分５７３ｂの先端に段差５７３ｃを有している。段差５７３ｃは、送風機４のアーム４１５の孔付凹部４１５ｂの凹みに嵌合する。
底部分５７３ｂには貫通孔５７３ｄが設けられている。貫通孔５７３ｄは、有底筒状部分５７３ａ内に配されたねじが挿通する。ねじは、送風機４のアーム４１５の孔付凹部４１５ｂ（図２参照）を通過し、筐体部２のフード固定部２１５のねじ穴２１５ｃに螺合する。
【００５１】
ガイド壁５７９は、図７に示すように、加熱コイル１１とヒートシンク６５の間を底壁２０１に向かって延伸する。ガイド壁５９７は、平面視において加熱コイル１１の周縁に沿った円弧状をしている。吸気口４２から吸気された外気が、第２流路壁５３とガイド壁５９７との間を拡がりながら排熱口４３に向かう。これにより、外気が加熱コイル１１の略全領域を通過するようになる。また、吸気口４２から吸気された外気が、第１区画壁２２１ａとガイド壁５９７との間からヒートシンク６５を通過しながら排熱口４３に向かう。
【００５２】
（６−４）案内壁
図５を用いて案内壁５４の一例を説明する。
案内壁５４は底壁２０１の上げ底部分２０１ｄに形成されている。案内壁５４は上げ底部分２０１ｄから立設している。案内壁５４の上端は、送風機４のファン４１３の上端と略一致している。これにより、吸気口４２から吸気された外気を効率よく排熱口４３に向けて案内できる。
案内壁５４は、平面視において、第１流路壁５２の他端から吸気口４２の周縁の接線方向に延伸する第１案内壁５４１を有する。
案内壁５４は、平面視において、第１案内壁５４１と間隔をおいて平行な方向に延伸する第２案内壁５４３を有する。なお、第２案内壁５４３は第１案内壁５４１に対して第２流路壁５３と反対側に形成されている。
案内壁５４は、平面視において、第２案内壁５４３と間隔をおいて横方向（排熱口４３がある方向）に延伸する第３案内壁５４５を有する。なお、第３案内壁５４５は第２案内壁５４３に対して第１案内壁５４１と反対側に形成されている。
第１案内壁５４１、第２案内壁５４３、第３案内壁５４５の上下方向の高さは、第１流路壁５２や第２流路壁５３の高さよりも低い。
【００５３】
案内壁５４は、吸気口４２の周縁であって、第１流路壁５２、第１案内壁５４１第２案内壁５４３及び第３案内壁５４５等が形成されていない領域に第４案内壁５４７を有している。第４案内壁５４７は平面視において吸気口４２の周縁に沿った円弧状をしている。第４案内壁５４７は吸気した外気を上方に案内するためのものある。
第４案内壁５４７の高さは第１流路壁５２よりも低く、吸気口４２から吸気された外気は、第４案内壁５４７の上方を通ってヒートシンク６５や電子部品６２に向かう。
なお、第１案内壁５４１から第４案内壁５４７の数字は、他の案内壁と区別するためのものである。
【００５４】
（７）コート接続部
図２を用いてコード接続部７の一例を説明する。
コード接続部７は、絶縁性材料により構成された接続部本体７１と、接続部本体７１に設けられたコネクタ７３とを有している。ここでのコネクタ７３はマグネット式である。
接続部本体７１は側壁から外方に突出する凸条部分７１ａを有し、凸条部分７１ａが筐体部２の第３側壁２０４のコード取付部２３１の取付溝２３５に表側から挿入される。これにより、コード接続部７が、支持部分２３７により支持され、本体２０に取り付けられる。
【００５５】
３．位置関係
加熱コイル１１、制御回路部６、送風機４の位置関係の一例について図９及び図１０を用いて説明する。
【００５６】
（１）平面視
図９を用いて平面視における位置関係を説明する。
加熱コイル１１は、大収容部２０８の略中央に配され、回路基板６１を貫通する２つのコイル固定部２１４と、第２流路壁５５に連結されているコイル固定部２１４との３箇所で固定されている。
制御回路部６は、大収容部２０８における横方向の略左半分に配されている。ここでの左側は第３側壁２０４が位置する側である。ヒートシンク６５が加熱コイル１１と第１区画壁２２１ａとの間であって送風機４に近い位置に配されている。
送風機４は、大収容部２０８における横方向の略右側に配されている。換言すると、送風機４は制御回路部６が配されていない領域に配されている。
このように制御回路部６と送風機４とは重ならない状態で配され、加熱コイル１１は制御回路部６と送風機４とに重なるように配されている。なお、ヒートシンク６５は加熱コイル１１及び送風機４に重ならないように配されている。
【００５７】
（２）側面視
図１０を用いて側面視における位置関係の一例を説明する。
加熱コイル１１は大収容部２０８における上部側に配されている。回路基板６１は大収容部２０８の下部側に配されている。送風機４は、底壁２０１の上げ底部分２０１ｄに設けられ、大収容部２０８の上下方向の略中央に配されている。つまり、送風機４は加熱コイル１１と回路基板６１との間に配されている。これにより、送風機４から送り出される空気が大収容部２０８内を上下に広がり、加熱コイル１１と制御回路部６との略全領域に外気が送り込まれる。
【００５８】
底壁２０１の上げ底部分２０１ｄの上面は制御回路部６の回路基板６１の上面よりも上側にある。これにより、送風機４から送り出される空気が回路基板６１と底壁２０１との間に進入するようなことを規制できる。
【００５９】
４．流路について
図９を用いて流路５の一例を説明する。
流路５は、上述のように、底壁２０１の中間部分２０１ｃ、カバー２５、トッププレート２８及び流路形成部５１で囲まれた空間により構成され、吸気口４２と排熱口４３とに接続し、流路５に冷却対象である加熱コイル１１と制御回路部６とが面している。
（１）吸気口周辺
吸気口４２の周辺では、送風機４により吸気された外気はフードカバー５７により送風機４の回転軸と直交する方向に広がる。この際、吸気口４２の周縁に第１流路壁５２と第４案内壁５４７が形成されているため、回路基板６１と底壁２０１との間に進入する外気の量を規制できる。
（２）第２流路壁
吸気された外気の内、第１案内壁５４１よりも上方を進む外気は、図中の矢印Ａに示すように、第２流路壁５３に沿って進み、加熱コイル１１及び制御回路部６における第２区画壁２２１ｂ側を通り排熱口４３に向かう。
【００６０】
（３）第１案内壁
吸気された外気の内、第１案内壁５４１に向かう外気は、図中の矢印Ｂに示すように、第１案内壁５４１に沿って進み、加熱コイル１１及び制御回路部６の中間部を通り排熱口４３に向かう。
（４）第２案内壁
吸気された外気の内、第２案内壁５４３（図５参照）に向かう外気は、図中の矢印Ｃに示すように、第２案内壁５４３と第３案内壁５４５の間を進み、加熱コイル１１及び制御回路部６の中間部を通り排熱口４３に向かう。
（５）第４案内壁
吸気された外気の内、第４案内壁５４７の上方を進む外気は、図中の矢印Ｄに示すように、ガイド壁５７９（図７参照）に沿って、加熱コイル１１及び制御回路部６における第２区画壁２２１ｂ側を通り排熱口４３に向かう。
吸気された外気の内、第４案内壁５４７の上方を進む外気であって、ガイド壁５７９（図７参照）と第１区画壁２２１ａとの間を進む外気は、図中の矢印Ｅに示すように、制御回路部６のヒートシンク６５の放熱板６５１間を通り排熱口４３に向かう。
【００６１】
以上、実施形態を説明したが、これらの実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００６２】
＜変形例＞
（１）実施形態の電磁調理器Ａは、平面視において矩形状をしているが、他の形状であってもよい。他の形状としては、三角形状、円形状、楕円形状等がある。この場合、第１操作部３ａ及び第２操作部３ｂは略対向する部位にあればよく、三角形の場合は隣接する２辺に操作部を、残りの１辺に排熱口をそれぞれ設ければよい。
なお、ここでの形状とは全体の形状をいい、例えば、矩形状の場合、矩形状の角部分が丸くなったような形状や矩形状の角部分が面取りされたような形状も含む。
（２）実施形態の筐体部２は、本体２０とカバー２５とトッププレート２８とから構成されている。しかしながら、筐体２は、加熱コイル１１や制御回路部６等を収容できればよく、例えば、本体とトッププレートとの２部材から構成されてもよいし、これらを含む４以上の部材から構成されてもよい。
【００６３】
（３）実施形態の排熱口４３は、第１操作部３ａ及び第２操作部３ｂが設けられていない第３側壁２０４に設けられていたが、第３側壁２０４と第４側壁２０５とに分散して設けてもよい。なお、排熱口から排熱が利用者に感じられない範囲であれば、第１部位（第１側壁や底壁における第１側壁側）及び第２部位（第２側壁や底壁における第２側壁側）に排熱口を設けてもよい。
（４）実施形態の排熱口４３は、表裏方向に長い矩形状の小孔４３ａを縦方向及び表裏方向に複数個有していた（図１の（ｂ）参照）が、排熱口は、縦方向に長い矩形状や正方形状の小孔、円形状の小孔を複数個有してもよいし、これらの形状のことなる小孔を組み合わせて有してもよい。つまり、排熱口４３は、人の指や箸等が挿入できない大きさであって、筐体部内の空気を排出できればよく、その形状・大きさ等の構成は特に限定されない。
【００６４】
（５）実施形態の加熱コイル１１は全体形状が円盤状をしていたが、他の形状でもよい。他の形状としては、三角形状、四角形状等の多角形状、楕円形状、長円形状等がある。
（６）実施形態では、カバー２５、第１操作部３ａ、第２操作部３ｂ、加熱部１、制御回路部６、送風機４等の固定や取り付けにねじを用いた螺合方法を採用したが、例えば、リベット、ファスナー等の締結具を用いた締結方法や係合片、係合凸部、係合凹部等を用いた係合方法等を採用してもよい。
（７）実施形態のプレート搭載部２５１は内当接部分２５１ｂを有しているが、外当接部分又は内当接部分でプレート搭載部を構成してもよい。また、外当接部分２５１ａと内当接部分２５１ｂとの間の溝部分２５１ｃはあってもよいし、なくてもよい。
【００６５】
（８）実施形態の第１操作部３ａ及び第２操作部３ｂは、筐体部２のカバー２５に取付けられているが、例えば、第１操作部及び第２操作部は筐体部の本体側に取り付けられてもよい。
実施形態では、第１操作部３ａと第２操作部３ｂとの２つの操作部３を有していたが、例えば、第４側壁２０５側に第３操作部３を備えてもよい。この場合、排熱口は第３側壁２０４側に設けるのが好ましい。
（９）実施形態では、送風機４とフードカバー５７とは一体で固定されていたが、送風機とフードカバーとが別々に固定されてもよい。
（１０）実施形態ではフードカバー５７を筐体部２と別体で有しているが、筐体部２を構成するカバーがフードカバーに対応するものを一体で有してもよい。
【００６６】
（１１）実施形態の流路５を形成する第１流路壁５２等は本体２０に形成されていたが、例えば、本体２０とは別部材で専用の流路を構成し、当該流路を筐体部内に配するようにしてもよい。この場合、専用の流路にフードカバーに相当する壁を備えても良いし、フードカバーに相当する壁を備えずにフードカバーをそのまま使用してもよい。
（１２）実施形態の排熱口４３は第３側壁２０４に、吸気口４２は底壁２０１にそれぞれ設けられていたが、例えば、排熱口と吸気口とを同じ側壁に設けてもよい。
排熱口は、第３側壁２０４に設けられていたが、例えば底壁に設けられてもよいし、底壁と側壁とに跨って設けられてもよい。吸気口は、底壁２０１に設けられていたが、例えば側壁に設けられてもよいし、底壁と側壁とに跨って設けられてもよい。
【００６７】
（１３）実施形態の回路支持部２１３は、第２区画壁２２１ｂに設けられていたが、例えば、第１区画壁２２１ａに設けられてもよい。また、裏当接部分２１３ａと表当接部分２１３ｂとは回路基板６１の同じ部位の表裏で当接しているが、表当接部分と裏当接部分とが縦方向や横方向に離れて回路基板と当接するようにしてもよい。また、表当接部分と裏当接部分との数は、同じであってもよいし、異なっていてもよい。
【００６８】
（１４）実施形態の案内壁５４は底壁２０１に一体で設けられていたが、例えば、フードカバー５７の平板部５７１に案内壁に相当する壁を設けてもよいし、フードカバー５７と異なる別体で案内壁を構成してもよい。
（１５）実施形態のヒートシンク６５の放熱板６５１は表裏方向と直交する方向に延伸し、第１区画壁２２１ａと反対側で連結しているが、例えば、放熱板における第１区画壁２２１ａで連結されてもよい。この場合であっても、吸気口から排熱口に向かう外気の流れを妨げることはない。
【００６９】
（１６）実施形態の送風機４は、平面視において、図９に示すように、第１区画壁２２１ａ側に配されているが、側面視において表裏方向に加熱コイルと送風機とが重ならない場合、平面視において送風機を縦方向の中央に配してもよい。
この場合、流路形成部は、吸気口の周縁であって吸気口と第４側壁との間に形成さる第１流路壁と、第１流量壁の両端から加熱コイルの周縁に沿って延伸する２つの第２流路壁を有することとなる。なお、ヒートシンクの配置によっては、第２流路壁の一方がヒートシンク側まで延伸してもよい。
【００７０】
（１７）実施形態では、加熱コイル１１と送風機４とを１個備えているが、加熱コイルや送風機を複数備えてもよい。また、送風機が１個であっても、吸気口を複数個備えてもよい。
【符号の説明】
【００７１】
Ａ    電磁調理器（加熱調理器）
２    筐体部（筐体）
３ａ  第１操作部
３ｂ  第２操作部
１１    加熱コイル
４３    排熱口
【図１】
2019067621.tif 000003
【図２】
2019067621.tif 000004
【図３】
2019067621.tif 000005
【図４】
2019067621.tif 000006
【図５】
2019067621.tif 000007
【図６】
2019067621.tif 000008
【図７】
2019067621.tif 000009
【図８】
2019067621.tif 000010
【図９】
2019067621.tif 000011
【図１０】
2019067621.tif 000012
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
被加熱物を電磁誘導によって加熱する加熱コイルと、
前記加熱コイルを収容する筐体と、
前記筐体の第１部位に設けられた第１操作部と、
前記筐体における前記第１部位と対向する第２部位に設けられた第２操作部と、
前記筐体であって前記第１部位と前記第２部位との間に設けられ且つ内部の熱を外部に排出する排熱口と、
前記筐体の底壁に設けられ且つ内部に外気を吸気するための吸気口と、
前記筐体内であって前記吸気口と対向する状態で配され且つ前記吸気口から吸気するためのファンと、
前記ファンを前記吸気口とは反対側から覆うカバー部と
を備える
加熱調理器。
【請求項２】
前記ファンにより前記吸気口から吸気した外気が前記排熱口に向かう流路を本体内に形成し、
前記流路途中に前記加熱コイルが設けられ、
前記流路は、前記吸気口の開口縁に沿って設けられた第１流路壁を有し、
前記カバー部は、前記第１流路壁と前記加熱コイルとの間を埋めるように配置されている
請求項１に記載の加熱調理器。
【請求項３】
前記流路は、前記第１流路壁と連結し且つ前記加熱コイルの一部の周囲に沿って設けられた第２流路壁を有すると共に、前記底壁から立設する案内壁を有し、
前記筐体は、前記第１流路壁、第２流路壁及び前記案内壁を前記底壁に一体で有する
請求項２に記載の加熱調理器。
【請求項４】
前記吸気口は前記加熱コイルの中央を挟んで前記排熱口と反対側に設けられている
請求項１〜３の何れか1項に記載の加熱調理器。
【請求項５】
前記筐体内に、前記第１操作部及び第２操作部の操作に基づいて前記加熱コイルを制御する制御回路部と、前記制御回路部に設けられたヒートシンクとを備え、
前記カバー部は、前記加熱コイルと前記ヒートシンクとの間を延伸するガイド壁を前記流路内にさらに有する
請求項１〜４の何れか１項に記載の加熱調理器。
【請求項６】
前記第１操作部と前記制御回路部とを電気的に接続する第１ケーブルと、前記第２操作部と前記制御回路部とを電気的に接続する第２ケーブルとが、前記流路から離れた状態で、前記筐体内に配されている
請求項５に記載の加熱調理器。
【請求項７】
前記第１操作部は、前記加熱コイル及び前記ファンとが収容される大収容部と第１区画壁により区画された第１操作収容部に収容され、
前記第２操作部は、前記大収容部と第２区画壁により区画された第２操作収容部に収容され、
前記筐体内に、前記第１操作部及び第２操作部の操作に基づいて前記加熱コイルを制御する制御回路部を備え、
前記加熱コイルは前記大収容部における上部側に配され、前記制御回路部の回路基板は前記大収容部の下部側に配され、前記ファンは、前記加熱コイルと前記回路基板との間に配されている
請求項１に記載の加熱調理器。